(57)【要約】【課題】狭隘な場所にも使用でき、配線を損傷せずに結束バンドを切断できる、結束バンドキャップを提供する。【解決手段】  結束バンドキャップ１は、結束バンド１００を切断するためのものであり、主として、筒状のキャップ２の内周面に、結束バンド１００を切断するカッター３と、結束バンドの移動を規制する規制ピン４とを備えている。結束バンドキャップ１は、結束バンド１００が、キャップ２内で湾曲させた内側に、カッター３と規制ピン４とが位置する形で取り付けられており、この状態で結束バンド１００が配線の束に締めつけられる。そして、規制ピン４を引き抜き、キャップ２を、軸方向に移動させることで、結束バンド１００がカッター３により切断される。【選択図】  図１
2016116809.tif 000002
【特許請求の範囲】
【請求項１】
筒状の本体と、前記本体の内周面に配設され、内周面から内側に突出した、切断刃を有する切断部と、前記本体の内周面を横断するように着脱自在に配設された規制ピンと、を備え、
前記切断部と前記規制ピンは、前記結束バンドのバンド部が前記本体内で湾曲した内側に位置し、前記切断刃は、前記規制ピンと対向する向きに配置され、前記規制ピンは、前記バンド部に当接して、前記バンド部が前記本体の軸方向の前記切断部側に移動することを規制する、
ことを特徴とする結束バンドキャップ。
【請求項２】
前記切断部は、前記本体の軸方向に対して、傾斜して設置されている、
ことを特徴とする請求項１記載の結束バンドキャップ。
【請求項３】
前記規制ピンは、表面がプラスチックで被覆された金属棒である、
ことを特徴とする請求項１または２のいずれか１項に記載の結束バンドキャップ。
【発明の詳細な説明】
【技術分野】
【０００１】
この発明は、電気工事等において、配線を束ねる結束バンドを切断する結束バンドキャップに関する。
【背景技術】
【０００２】
電気工事等においては、数本の配線を束ねるために、図３に概略図を示すようなプラスチック製の結束バンド１００が広く使用されている。ここで、結束バンド１００は、バンド部１０１と、バンド部１０１の一端に設けられたバンド部１０１をロックするためのロック部１０２からなる。バンド部１０１の一端を、ロック部１０２の開口１０２１に差し込むと、バンドの表面に形成された歯１０１１が、ロック部１０２のフック１０２２に引っかかることで固定される。そのため、一度配線を結束した結束バンド１００は、容易には取り外すことができず、ニッパを含む切断工具を使用して切断している。
【０００３】
ここで、結束バンド１００の切断にニッパを使用する場合には、配線と結束バンド１００の間に刃を入れ込み、切断するが、配線と結束バンド１００とが強固に結束され、刃を挿入する隙間が十分ではないような場合には、結束バンド１００だけではなく、配線をも誤って切断してしまったり、配線の被覆を損傷してしまったりするおそれがあった。
【０００４】
そこで、この様な場合にも、安全に結束バンド１００を切断するための工具が提案されている（例えば、特許文献１、２参照）。
【先行技術文献】
【特許文献】
【０００５】
【特許文献１】特開２０１２−１２５８５６号公報
【特許文献２】特開平０８−２８０９４７号公報
【発明の概要】
【発明が解決しようとする課題】
【０００６】
しかしながら、特許文献１、特許文献２の切断工具は、比較的長尺であり、制御盤の裏面の様に、周囲に様々な配電機器が設置されているような場所に対して使用することが困難である。
【０００７】
そこでこの発明は、配線を結束バンド１００で確りと束ねることができるとともに、どのような場所でも、配線を損傷せずに安全かつ容易に結束バンド１００を切断することができる、結束バンドキャップを提供することを目的とする。
【課題を解決するための手段】
【０００８】
上記課題を解決するために、請求項１に記載の発明は、結束バンドキャップであり、筒状の本体と、前記本体の内周面に配設され、内周面から内側に突出した、切断刃を有する切断部と、前記本体の内周面を横断するように着脱自在に配設された規制ピンと、を備え、前記切断部と前記規制ピンは、前記結束バンドのバンド部が前記本体内で湾曲した内側に位置し、前記切断刃は、前記規制ピンと対向する向きに配置され、前記規制ピンは、前記バンド部に当接して、前記バンド部が前記本体の軸方向の前記切断部側に移動することを規制する、ことを特徴とする。
【０００９】
この発明によれば、結束バンドを切断する際には、規制ピンを本体から引き抜いて、本体を結束バンドの湾曲部方向に引っ張ることにより、切断部により結束バンドの湾曲部が切断される。
【００１０】
また、請求項２に記載の発明は、請求項１記載の結束バンドキャップにおいて、前記切断部は、前記本体の軸方向に対して、傾斜して設置されている、ことを特徴とする。
【００１１】
また、請求項３に記載の発明は、請求項１または２のいずれか１項に記載の結束バンドキャップにおいて、前記規制ピンは、表面がプラスチックで被覆された金属棒である、ことを特徴とする。
【発明の効果】
【００１２】
請求項１の発明によれば、配線を結束する際に、結束バンド１００に結束バンドキャップを取り付けておくことにより、結束バンド１００の切断時は、規制ピンを引き抜いた結束バンドキャップを引っ張ると、切断部によって結束バンド１００が切断される。すなわち、簡単な操作で配線を損傷せずに切断することができる。
【００１３】
また、切断部は、本体の内周面に配設されているため、不用意に配線と接触して、配線を切断したり、配線の被覆を損傷したりするおそれがない。しかも、結束対象の配線と逆方向を向くように取り付けるので、本体を結束バンド湾曲部方向、すなわち、配線から離接する方向に引っ張ったとしても、切断部が配線と接触する可能性をより低減することができる。
【００１４】
請求項２の発明によれば、切断部が、本体の軸方向に対して、傾斜して設置されているので、より、容易に結束バンド１００を切断することができる。
【００１５】
請求項３の発明によれば、電気絶縁性と表面の柔軟性を維持しつつ、規制ピンの強度を高めることができるので、結束バンド１００を傷つけずに強く締めることが可能となる。
【図面の簡単な説明】
【００１６】
【図１】この発明の実施の形態に係る、結束バンドキャップを結束バンドに取り付けた状態を示す斜視図である。
【図２】この発明の実施の形態に係る、結束バンドキャップを結束バンドに取り付けた状態を示す側面の断面図である。
【図３】従来から用いられている、結束バンドの概略正面図である。
【発明を実施するための形態】
【００１７】
以下、この発明を図示の実施の形態に基づいて説明する。
【００１８】
図１、図２は、結束バンドキャップ１を結束バンド１００に取り付けた状態を示す図である。結束バンドキャップ１は、結束バンド１００を切断するためのものであり、主として、キャップ（本体）２と、カッター（切断部）３と、規制ピン４とを備えている。
【００１９】
キャップ２は、両端が開口した筒状に形成されており、本実施形態では、円筒形状をしている。また、素材はプラスチック製である。
【００２０】
キャップ２の軸方向（筒の長手方向）の一端側の内周面にはカッター３が設置され、キャップ２の軸方向の他端側には規制ピン４を挿通するための開口である、挿通孔（図示略）が２個形成されている。この２個の挿通孔は、キャップ２の側面に、径の方向に対向して形成される。また、その形状は規制ピンの断面形状と略同一であり、サイズは、規制ピン４を緩く嵌めこむこと、すなわち抜き差し可能な大きさに設定されている。ここで、挿通孔の形状は、本実施形態では円状としたが、結束バンド１００が締めつけられたときに、規制ピン４を介して受ける応力により挿通孔が抉れて変形をすることを抑えるために、応力が一点に集中せずに分散されるような形状が望ましい。具体的には、前述の円状の他に、四角形状でも可能である。ここで、挿通孔を四角形状とした場合には、応力が分散されるように、四角形は、その一辺に応力が垂直に加わる（図１、２のＢと反対方向）ように配置される。
【００２１】
また、キャップ２の内径は、結束バンド１００のバンド部１０１が湾曲した状態で収容可能な大きさに設定されている。ここで、キャップ２のサイズは、必ずしも一律のものではなく、様々な大きさの結束バンドに対応できるように、数種類が用意される。具体的には、円筒形状の場合は、内径(角筒の場合は一辺の長さ)は、結束バンドの出し入れが自在であり、かつ内部でガタつかないように、結束バンド１００の幅より１ｍｍ程度大きく設定される。すなわち結束バンドの幅は一般に２ｍｍ〜１５ｍｍの範囲で数種類存在するが、キャップ２の内径または一辺の長さは、これに対応して３〜１６ｍｍに設定されている。
【００２２】
カッター３は、キャップ２内に挿入した結束バンド１００のバンド部１０１を切断するものであり、キャップ２の内周面に配設され、キャップ２の内部を半径方向に横断するように配設される。カッター３は、切断刃を有し、切断刃は軸方向の他端側を向いて、後述する規制ピン４と対向するように配設されている。また、カッター３は、キャップ２の軸方向に対して、傾斜した状態で設置されている。このカッター３は、キャップ２内に収容した結束バンド１００の湾曲部の内側を切断するようになっている。
【００２３】
規制ピン４は、キャップ２に形成された挿通孔に着脱自在であり、キャップ２内に挿入した結束バンド１００のバンド部１０１が、キャップ２の軸方向に移動することを規制するものである。規制ピン４は、剛性を有する長尺体の一端側に、挿通孔の径より大きなリング状の頭部４１が形成されている。本実施形態では、この規制ピン４は、ステンレスなどの金属製の棒にプラスチックを被覆したものであり、これにより、曲げ強度を確保しつつ、表面の柔軟性と電気絶縁性を得ている。ここで、規制ピン４は、全てプラスチック製、または金属製でも使用可能である。また、規制ピン４の長さは、規制ピン４を挿通孔に貫通させた状態で、規制ピン４の頭部４１と、先端部４２がキャップ２の外周面から外方に突出する長さに設定されている。
【００２４】
規制ピン４の形状は、本実施形態では、断面が円である円柱を用いたが、四角柱や三角柱である角柱でも可能である。ここで、結束バンド１００を締めつけたときに受ける応力に対する曲がりにくさ（曲げ剛性）に関しては、円柱より、四角柱の方が有利である。そして、規制ピン４を四角柱とした場合、曲げ剛性を最良の状態に維持するために、その面に、垂直方向に応力が加わるような向き（図１、２のＢと反対方向）に配設される。また、前述の通り、挿通孔の形状は、規制ピン４の断面形状と略同じに形成される。
【００２５】
規制ピン４を挿通孔に挿通した際には、頭部４１が挿通孔の外縁部と当接することにより、規制ピン４が抜けることを防止する。また、規制ピン４は、キャップ２内に収容した結束バンド１００の湾曲部の内側と当接し、結束バンド１００のバンド部１０１がキャップ２の軸方向のカッター３側に移動して、意図せずカッター３と当接して、切断されることを防止する。
【００２６】
このような結束バンドキャップ１を結束バンド１００に取り付けた状態では、結束バンド１００のバンド部１０１をキャップ２内で湾曲させた内側に、カッター３と規制ピン４とが位置している。また、結束バンド１００を切断する際には、規制ピン４をキャップ２から引き抜いて、キャップ２を結束バンド１００の湾曲部方向、すなわち、配線から離接する方向（図１におけるＢ方向）に引っ張ることにより、カッター３が結束バンド１００の湾曲部を切断する。
【００２７】
次に、このような結束バンドキャップ１の使用方法、作用について説明する。
【００２８】
まず、結束バンドキャップ１を、結束バンド１００のバンド部１０１に取り付ける。キャップ２の挿通孔に規制ピン４が挿通された結束バンドキャップ１に、カッター３側のキャップ２の開口から、結束バンド１００のバンド部１０１の先端部を挿通する。
【００２９】
そして、他端側のキャップ２の開口２１から、外方に突出した結束バンド１００のバンド部１０１の先端部を、規制ピン４を跨いで湾曲させて、キャップ２のカッター３側の開口まで貫通させる。このようにして、結束バンドキャップ１が、結束バンド１００のバンド部に取り付けられる。
【００３０】
そして、結束バンドキャップ１が取り付けられた結束バンド１００を、結束対象の配線に結束して固定する。このようにして、結束バンド１００によって、配線が結束される。
【００３１】
また、結束バンド１００の切断方法について説明する。
【００３２】
まず、結束バンドキャップ１の規制ピン４の頭部４１を把持して、図１におけるＡ方向に引き抜く。
【００３３】
そして、一方の手で結束された配線を押さえた状態で、他方の手で結束バンドキャップ１を、図１におけるＢ方向に引っ張る。これにより、カッター３によって、結束バンド１００の湾曲部の内側を押圧して、結束バンド１００を切断する。このようにして、結束バンドキャップ１によって、結束バンド１００を切断する。
【００３４】
そして、切断された結束バンド１００を配線から取り外す。
【００３５】
最後に、結束バンドキャップ１の挿通孔に、規制ピン４を挿入する。この結束バンドキャップ１は、繰り返し使用することができる。
【００３６】
この結束バンドキャップ１によれば、配線を結束する際に、結束バンド１００に結束バンドキャップ１を取り付けておくことにより、結束バンド１００の切断時は、規制ピン４を引き抜いた結束バンドキャップ１を引っ張ると、カッター３によって結束バンドが切断される。すなわち、簡単な操作で配線を損傷せずに切断することができる。
【００３７】
また、カッター３は、キャップ２の内周面に配設されているため、不用意に配線と接触して、配線を切断したり、配線の被覆を損傷したりするおそれがない。
【００３８】
しかも、カッター３は、切断刃が結束対象の配線と逆方向を向くように取り付けるので、キャップ２を結束バンド１００の湾曲部方向、すなわち、配線から離接する方向に引っ張るので、カッター３が配線と接触する可能性をより低減することができる。
【００３９】
また、カッター３が、キャップ２の軸方向に対して傾斜していることにより、結束バンド１００を切断する際に、カッター３と結束バンド１００の湾曲部とは、角度を有した状態で接するので、結束バンド１００をより切断し易くなる。
【００４０】
さらに、規制ピン４がプラスチックと金属の複合構造であるので、電気絶縁性と表面の柔軟性を維持しつつ、規制ピン４の強度を高めることができるので、結束バンド１００を傷つけずに強く締めることが可能となる。
【００４１】
以上、この発明の実施の形態について説明したが、具体的な構成は、上記の実施の形態に限られるものではなく、この発明の要旨を逸脱しない範囲の設計の変更等があっても、この発明に含まれる。
【００４２】
例えば、結束バンドキャップ１は、予め結束バンド１００に取り付けてあってもよい。この場合は、配線を結束する際には、通常の結束バンドと同様に、結束バンドキャップ１が取り付けられた結束バンド１００によって結束するだけでよい。これにより、作業現場での作業の手間と時間を低減することができる。
【００４３】
また、カッター３を取換え可能とし、繰り返し使用して切断刃が鈍った場合は新品に取り換えることで、キャップ２を繰り返し使用できる。
【符号の説明】
【００４４】
１          結束バンドキャップ
２          キャップ（本体）
３            カッター（切断部）
４          規制ピン
１００      結束バンド
【図１】
2016116809.tif 000003
【図２】
2016116809.tif 000004
【図３】
2016116809.tif 000005